(57)【要約】本発明は、美容用皮膚活性化治療に対する装置に係る。当該装置は、６００乃至７００ｎｍである少なくとも１つの主要スペクトルピークを有する高輝度放電ランプ（１０４；２０４；３０４；６０４）を収容する持続波光源を有する。
2008546440.tif 000002
【特許請求の範囲】
【請求項１】
美容用皮膚活性化治療に対する装置であって、
高輝度放電ランプを収容する持続波光源を有し、該高輝度放電ランプは、５５０乃至７００ｎｍにおいて少なくとも１つの主要スペクトルピークを有する、
装置。
【請求項２】
前記高輝度放電ランプは、塩充填剤を有し、
該塩充填剤は、ハロゲン化リチウム、ハロゲン化ナトリウム、ハロゲン化セシウム、ハロゲン化カルシウム、又はハロゲン化ガリウムを有する群から少なくとも１つの構成要素を有する、
請求項１記載の装置。
【請求項３】
前記塩充填剤は、ヨウ化リチウム、ヨウ化ナトリウム、ヨウ化セシウム、ヨウ化カルシウム、又はヨウ化ガリウムを有する群から少なくとも１つの構成要素を有する、
請求項１又は２記載の装置。
【請求項４】
前記高輝度放電ランプは、ヨウ化リチウムとヨウ化ガリウムとを有する塩充填剤を有する、
請求項１乃至３のうちいずれか一項記載の装置。
【請求項５】
前記高輝度放電ランプは、ガス充填剤を有し、
該ガス充填剤は、アルゴンと、キセノンと、クリプトンと、ネオンとを有する群から少なくとも１つの構成要素を有する、
請求項１乃至４のうちいずれか一項記載の装置。
【請求項６】
前記高輝度放電ランプは、プラズマチャンバを有し、
該プラズマチャンバは、石英ガラス壁又はセラミック壁を有する、
請求項１乃至５のうちいずれか一項記載の装置。
【請求項７】
前記持続波光源は、皮膚疾患の治療に対しては代替的高輝度放電ランプを有して動作するよう適合される、
請求項１乃至６のうちいずれか一項記載の装置。
【請求項８】
前記代替的高輝度放電ランプは、３９０乃至４３０ｎｍの主要スペクトルピークを有する、
請求項７記載の装置。
【請求項９】
前記持続波光源は、前記高輝度放電ランプ、又は前記代替的高輝度放電ランプを解放可能に受ける手段を有する、
請求項７又は８記載の装置。
【請求項１０】
前記高輝度放電ランプは、ヨウ化リチウムを有する第１の塩充填剤を有し、前記代替的高輝度放電ランプは、ヨウ化ガリウム及び／又はヨウ化アルミニウムを有する第２の塩充填剤を有する、
請求項７乃至９のうちいずれか一項記載の装置。
【請求項１１】
前記持続波光源は、前記高輝度放電ランプ又は前記代替的高輝度放電ランプのうち一方を使用に適切である位置へとピボットさせる手段を有する、
請求項７乃至１０のうちいずれか一項記載の装置。
【請求項１２】
前記持続波光源は、前記高輝度放電ランプと、前記代替的高輝度放電ランプを有し、
制御要素は、ユーザが、少なくとも前記高輝度放電ランプが皮膚活性化治療に対してスイッチをオンにされる第１の動作モード、あるいは、少なくとも前記代替的高輝度放電ランプが皮膚疾患治療に対してスイッチをオンにされる第２の動作モードのうちいずれかを選択できるようにする、
請求項７乃至１１のうちいずれか一項記載の装置。
【請求項１３】
携帯型である、
請求項１乃至１２のうちいずれか一項記載の装置。
【請求項１４】
卓上用である、
請求項１乃至１３のうちいずれか一項記載の装置。
【請求項１５】
壁又は天井に掛けられるよう適合される、
請求項１乃至１４のうちいずれか一項記載の装置。
【請求項１６】
皮膚範囲上へと少なくとも１０  Ｊ／ｃｍ２である放射線量を与えるよう適合される、
請求項１乃至１５のうちいずれか一項記載の装置。
【請求項１７】
請求項２乃至１６のうちいずれか一項記載の装置における使用に対して適切である、
ランプ。
【請求項１８】
人間の皺取り治療に対する請求項１乃至１７のうちいずれか一項記載の装置の使用であって、
ランプは、ヨウ化リチウムを有する塩充填剤を有する、
使用。
【請求項１９】
人のにきび治療に対する少なくとも１乃至１８のうちいずれか一項記載の装置の使用。
【請求項２０】
人の皺取り治療に対する高輝度放電ランプの使用であって、
前記高輝度放電ランプは、ヨウ化リチウムを有する塩充填剤を有する、
使用。
【発明の詳細な説明】
【技術分野】
【０００１】
本発明は、皮膚の光線療法の分野に係る。
【背景技術】
【０００２】
皮膚活性化治療は近年、レーザ又はＩＰＬ（超単パルス光）を有して専門家の領域において行われる。該治療は、皮膚の層を焼き、新しいコラーゲンの形成をもたらす創傷治癒工程を始めて皮膚をより若く見せる切除であるか、あるいは、皮膚を焼くことなくコラーゲン生成を促進させる（この場合、治療は単に「皺低減」と称される）非切除であるか、のいずれかである。にきび治療に対しては、レーザ又はＩＰＬは、効果的ににきび細菌を殺すよう、あるいは脂線を破壊するよう、十分なエネルギーを与える。
【０００３】
専門的な市場における近年のトレンドは、単独、又はＩＰＬ又はレーザ治療を有した相乗効果で使用され得る、ＬＥＤ等である持続光源を有して、より低いエネルギーの療法に進んでいる。しかし、特に消費者向け市場に対しては、低エネルギー光源は安全上の理由により義務的（ｍａｎｄａｔｏｒｙ）である。かかる低エネルギー光源は、ＬＥＤ又はＴＬに関わり、両ランプタイプは、専門的機器より低い出力を与えると考えられ、これは専門的機器より効果的ではないことを意味する。かかる消費者用装置に対して、専門的機器に匹敵する（医療的）効果に達するには、消費者向け市場において現在入手可能である機器におけるようなＴＬ又は少ない数のＬＥＤは（図１及び２参照）、十分ではない。
【０００４】
治療を効果的にするよう必要とされる適切な出力に達するよう、多くのＬＥＤは、使用されなければならない（例えば、皺低減に対するＬｉｇｈｔ  Ｂｉｏｓｃｉｅｎｃｅ社から販売される機器であるＧｅｎｔｌｅ  Ｗａｖｅｓに対しては、１６００のＬＥＤ）。これにより、かかる機器に対するコストは、消費者用の用途には高くなりすぎる（＞１００００ドル）（＞１０∧４＄）。
【０００５】
特許文献より、光線療法に対する多種の装置及び方法は既知である。例えば、米国特許第５，５４９，６６０号明細書（特許文献１）は、にきびを治療する方法を示す。にきび治療は、狭い帯域幅において持続波光放射を生成するよう、動作の持続波モードにおいて発光ダイオードを使用する照射によって実行される。持続波光放射は、集中させられ、生物刺激（ｂｉｏｓｔｉｍｕｌａｔｉｖｅ）治療に対してにきび疾患真皮域上へと投射される。
【０００６】
加えて、にきびに対する高輝度可視光療法は、Ｍｅｆｆｅｒｔ外（Ｄｅｒｍａｔｏｌ−Ｍｏｎａｔｓｓｃｈｒ．  １９９０；  １７６（１０）：５９７−６０３）によって、並びに米国特許第６，６７６，６５５号明細書（特許文献２）及び米国特許第６，６２６，９３２号明細書（特許文献３）において説明された。
【特許文献１】米国特許第５，５４９，６６０号明細書
【特許文献２】米国特許第６，６７６，６５５号明細書
【特許文献３】米国特許第６，６２６，９３２号明細書
【発明の開示】
【発明が解決しようとする課題】
【０００７】
本発明によれば、美容用皮膚活性化治療に対する装置は、高輝度放電ランプを収容する持続波光源を有する。該高輝度放電ランプは、５５０乃至７００ｎｍ、望ましくは６５０乃至７００ｎｍである少なくとも１つの主要スペクトルピーク（ｐｒｅｄｏｍｉｎａｎｔ  ｓｐｅｃｔｒａｌ  ｐｅａｋ）を有する。
【０００８】
５５０乃至７００ｎｍである波長の放射を有する人間の皮膚の治療は、皺を低減させ得る、ことが分かっている。この放射を生成するよう高輝度放電ランプを使用することは、コスト効率が良い。故に本発明は、皮膚活性化治療に対して比較的高価ではない消費者用機器の設計を促進する。
【課題を解決するための手段】
【０００９】
本発明の一実施例によれば、高輝度放電ランプは、塩充填剤を有する。高輝度放電ランプがスイッチをオンにされる際、塩は蒸発する。蒸発された塩は、高輝度放電ランプによって放射された放射の波長を、皮膚活性化治療に対して要求される５５０乃至７００ｎｍの範囲へとシフトさせる。従来の持続波光源は、白色光を生成し、故に持続的振るスペクトルを放射するよう、設計される。従来の光源の放射されるスペクトルは、適切な波長を得るようフィルタをかけられなければならないため、皮膚活性化に対するかかる光源の適用は、かかる光源が本発明に従った光源より効果的ではなくさせる。
【００１０】
本発明の一実施例によれば、塩充填剤は、ハロゲン化リチウム、ハロゲン化ナトリウム、ハロゲン化セシウム、及び／又はハロゲン化カルシウム等であるハロゲン化合物を有し、特には、ヨウ化リチウム（ＬｉＩ）、ヨウ化ナトリウム（ＮａＩ）、ヨウ化セシウム（ＣｓＩ）、及び／又はヨウ化カルシウム（ＣａＩ２）、及び／又は夫々の臭化物、フッ化物、及び／又は塩化物を有する。加えて、塩は、放電ランプのアークを安定化させるよう、他のメタルハライドを有し得る。
【００１１】
望ましくは、５５０乃至７００ｎｍ、望ましくは６５０乃至７００ｎｍであるスペクトルピークを有するハロゲン化リチウムランプは、皺低減に対して使用される。例えば、治療は、１０  Ｊ／ｃｍ２より大きいフルエンス、及び１００秒を超える治療時間を有して行われる。
【００１２】
本発明の一実施例によれば、高輝度放電ランプは、アルゴン、キセノン、クリプトン、及び／又はネオンを有するガス充填剤を有する。
【００１３】
高輝度放電ランプは、水銀充填剤を有し得るか、有し得ない。本発明の一実施例によれば、高輝度放電ランプのプラズマチャンバは、石英ガラス壁を有する。石英ガラスは、少なくとも９５重量％の二酸化ケイ素（ＳｉＯ２）を有する。
【００１４】
本発明の一実施例によれば、高輝度放電ランプのプラズマチャンバは、ＰＣＡ壁（多結晶アルミナ；多結晶形状におけるＡｌ２Ｏ３）等であるセラミック壁を有する。
【００１５】
本発明の一実施例によれば、持続波光源は、にきび等である皮膚疾患の治療に対して代替的高輝度放電ランプを有して作動し得る。代替的高輝度放電ランプは、３９０乃至４３０ｎｍである少なくとも１つのスペクトルピークを有する。かかる放射スペクトルは、例えば、ヨウ化ガリウム（ＧａＩ３）、ヨウ化アルミニウム（ＡｌＩ３）、及び／又はヨウ化インジウム（ＩｎＩ３）塩充填剤等である、ハロゲン化塩充填剤を用いて得られる。再度、ガス充填剤は、水銀を有する、あるいは有さない、ネオン、クリプトン、キセノン、又はアルゴンであり得る。
【００１６】
本発明の一実施例によれば、持続波光源は、高輝度放電ランプ又は代替的高輝度放電ランプを（解放可能に）受ける手段を有する。例えば、皺治療に対しては、５５０乃至７００ｎｍであるスペクトルピークを有する高輝度放電ランプは光源へと挿入される一方、にきび等である皮膚疾患の治療に対しては、高輝度放電ランプは、３９０乃至４３０ｎｍの範囲において少なくとも１つの主要ピークを有する代替的高輝度放電ランプと置き換えられる。
【００１７】
本発明の一実施例によれば、高輝度放電ランプ及び代替的高輝度放電ランプは、１つ又は他のランプを使用に対して適切である位置へとピボットさせるよう、回転スピンドル上に取り付けられる。
【００１８】
本発明の更に他の実施例によれば、高輝度放電ランプ及び代替的高輝度放電ランプはいずれも、例えば反射体の焦点に対して近い光源内において、永久的に取り付けられる。装置は、ユーザが第１又は第２の動作モードを選択できるよう、制御ボタン等である制御要素を有する。
【００１９】
第１の動作モードにおいては、少なくとも５５０乃至７００ｎｍである範囲においてピークを有する高輝度放電ランプは、皮膚活性化治療に対してスイッチをオンにされる一方、第２の動作モードにおいては、少なくとも代替的高輝度放電ランプは、にきび等である皮膚疾患の治療に対してスイッチをオンにされる。
【００２０】
モードに依存してランプのスイッチをオン及びオフにするのではなく、夫々の放射線強度を変化させることも可能である。例えば、第１の動作モードにおいては、５５０乃至７００ｎｍの範囲においてピークを有する高輝度放電ランプは、強い放射を生成するよう作動される一方、代替的高輝度放電ランプは、低い放射強度レベルにおいて作動される。第２の動作モードにおいては、３９０乃至４３０ｎｍの範囲においてスペクトルピークを有する代替的高輝度放電ランプは、強い放射線強度を有して作動される一方、５５０乃至７００ｎｍの範囲におけるスペクトルピークを有する高輝度放電ランプは、より低い放射線強度レベルにおいて作動される。
【００２１】
本発明の一実施例によれば、皺取り治療等である皮膚活性化治療、及びにきび等である皮膚疾患の治療は、充填剤を有する単一のランプを有して達成され得る。該充填剤は、ヨウ化リチウム及びヨウ化ガリウム等である少なくとも２つの異なる塩を有し、夫々のスペクトルピークをもたらす。
【００２２】
本発明の一実施例によれば、皮膚活性化治療に対する装置は、携帯型である。装置は、望ましくは卓上用ユニットである。これは、装置を保持し且つ位置付けするには三脚等の高価な機械的支持体が無くては済まされないため、消費者用機器にとっては特に有利である。
【発明を実施するための最良の形態】
【００２３】
本発明の望ましい実施例は、以下において図面を参照してより詳細に説明される。
【００２４】
図１は、美容用皮膚活性化治療に対する装置１００を示す。装置は、高輝度放電ランプ１０４を受けるソケット１０２を有する持続波光源を有する。高輝度放電ランプ１０４は、反射体１０６の焦点範囲において位置付けられる。反射体１０６は、装置１００の前方に座っている人１０８に向けて高輝度放電ランプ１０５から放射される光を集中させ、且つ方向付ける。装置１００の動作は、高輝度放電ランプ１０４の動作に対して限流機能も有する電子モジュール１１０によって制御される。この限流制御機能は、インダクタ、変圧器バラストとして実施され得るか、あるいは、方形波電流プロファイル又は高周波制限は電流プロファイルを有して作動する電子ランプドライバモジュールを使用することによって実施され得る。
【００２５】
高輝度放電ランプ１０４は、５５０乃至７００ｎｍである主要スペクトルピークを有する。人１０８の皮膚は、望ましくは、少なくとも１０Ｊ／ｃｍ２又はそれより多い光線量に対して露出される。例えば、高輝度放電ランプ１０４は、１６％より高い放射効率及び２００Ｗを上回る電力消費量を有する。かかる設定は、人１０８に対して皺治療等である効果的な皮膚活性化治療を与える。
【００２６】
高輝度放電ランプ１０４は、ソケット１０２から取り外され得、異なる放射スペクトルを有する代替的高輝度放電ランプは、他の適用に対してソケットへと差し込まれ得る。
【００２７】
図２は、他の一実施例を示す。続く図面において、同一の参照符号は、同一の要素示すよう使用される。
【００２８】
装置２００は、皺治療等である皮膚活性化、並びににきび等である皮膚疾患の治療に対して使用され得る、デュアルモード機器である。この目的に対して、装置２００は、高輝度放電ランプ２０４と共に装置２００の回転スピンドル２１４上に取り付けられる、追加的な高輝度放電ランプ２１２を有する。高輝度放電ランプ２０４は、５５０乃至７００ｎｍの範囲にある少なくとも１つの主要ピークを有し、皮膚活性化治療に対して使用される。一方、高輝度放電ランプ２１２は、にきび等である皮膚疾患の治療に対して３９０乃至４３０ｎｍの範囲において少なくとも１つの主要ピークを有する。
【００２９】
図２中に示される通り、高輝度放電ランプ２０４及び高輝度放電ランプ２１２は、垂直に配置される。図２に示される通り高輝度放電ランプ２０４が垂直位にある際、装置２００は、皮膚活性化に対して第１のモードにおいて作動され得る。高輝度放電ランプ２０４及び高輝度放電ランプ２１２を回転スピンドル２１４の周囲にピボットさせることによって、図３中に示される通り、高輝度放電ランプ２０４は水平位までもたらされ、高輝度放電ランプ２１２は垂直位までもたらされる。高輝度放電ランプ２１１２を垂直位までピボットさせた後、装置２００は、皮膚疾患の治療に対する第２のモードにおいて使用され得る。電子モジュール２１０は、装置２００の動作の選択されたモードに依存して、高輝度放電ランプ２０４又は高輝度放電ランプ２１２のいずれかに電力を与える役割を果たす。
【００３０】
図４は、装置３００の更に他の実施例を示す。装置３００は、５５０乃至７００ｎｍの範囲において少なくとも１つの主要ピークを有する高輝度放電ランプ３０４、及び、３９０乃至４３０ｎｍの範囲において少なくとも１つの主要ピークを有する高輝度放電ランプ３１２を有する。高輝度放電ランプ３０４及び３１２はいずれも、装置３００内において固定的に取り付けられる。
【００３１】
電子モジュール３１０は、人３０８が装置３００の動作モードの１つを選択することができるようモジュール選択ボタン３１６に対して結合される。例えば、モード選択ボタン３１６は、２つのスイッチ位置を有し、一方は、皮膚活性化治療に対する第１の動作モードを選択し、他方は、皮膚疾患治療に対する第２の動作モードを選択する。
【００３２】
第１の動作モードにおいて、高輝度放電ランプ３０４のみがスイッチをオンにされる一方、高輝度放電ランプ３１２は、第２の動作モードにおいてオンにされる。あるいは、高輝度放電ランプ３０４，３１２の夫々の強度は、選択された動作モードに依存して変えられる。
【００３３】
装置３００は望ましくは、シールド３１８を有する。該シールドは、グレアが人３０８を妨害しないよう、高輝度放電ランプ３０４及び／又は３１２から放射される光を反射体３０６上へと反射する。シールド３１８は、別個の構成要素であり得るか、あるいは、各高輝度放電ランプ３０４，３１２において一体にされ得る。かかるアンチクレアシールドは、ランプからの直接照射を防止する（顔、又は誤って眼に到達するに到達する光のみが反射される）。シールドは、ランプの前方における金属スクリーン、又はランプの外側バルブの前方における反射層であり得る。
【００３４】
図５は、高輝度放電ランプの一実施例の断面図である。高輝度放電ランプは、プラズマチャンバ４２４を有する電極４２０，４２２を有する。電極４２０，４２２は、約１０乃至５０ｍｍの間隔をあけられる。プラズマチャンバ４２４は、水銀を有するあるいは有さないネオン、クリプトン、キセノン、及び／又はアルゴンを有して充填される。加えて、プラズマチャンバ４２４は、ヨウ化リチウム、ヨウ化ナトリウム、ヨウ化セシウム、ヨウ化カルシウム、ヨウ化ガリウム、ヨウ化アルミニウム、及び／又はヨウ化インジウム塩充填剤等である、ハロゲン化塩充填剤を有する。
【００３５】
プラズマチャンバ４２４の壁は、石英ガラスを有して作られる。
【００３６】
図６は、高輝度放電ランプの他の一実施例の断面図である。ここで考えられる実施例において、プラズマチャンバ５２４の壁は、ＰＣＡを有して作られる。
【００３７】
図７は、ヨウ化リチウム塩充填剤を有する高輝度放電ランプのスペクトルを示す。高輝度放電ランプは、５５０乃至７００ｎｍの範囲における２つの主要ピークを有し、故に皮膚活性化治療に対して使用され得る。
【００３８】
図８は、ヨウ化ガリウム塩充填剤を有する高輝度放電ランプのスペクトルを示す。該ランプは、３９０乃至４３０ｎｍの範囲において主要ピークを有するため、にきび等である皮膚疾患の治療に対して使用され得る。
【００３９】
図９は、ヨウ化リチウム及びヨウ化ガリウム塩充填剤を有する高輝度放電ランプのスペクトルを示す。高輝度放電ランプは、３９０乃至４３０ｎｍの範囲、及び５５０乃至７００ｎｍの範囲において主要ピークを有し、故に皮膚疾患治療及び皮膚活性化治療に対して大変好ましく使用され得る。
【００４０】
図１０は、家庭における使用に対する装置６００の一実施例を示す。装置６００は、携帯型であり、卓上用ユニットとしても使用され得る。装置６００の筐体６２６は、電子モジュール６１０、少なくとも１つの高輝度放電ランプ６０４、及び反射体６０６を収容する。反射体６０６及び少なくとも１つの高輝度放電ランプ６０４は、垂直方向に対して例えば１０乃至４０°、望ましくは３０°である傾斜角度において、傾斜位に取り付けられる。装置６００がテーブル６２８上に置かれる際、人は、装置６００から発される放射に対して便利に露出されるようアームチェア６３０に座ることができる。
【００４１】
装置６００の筐体は、望ましくは、図１１において示される通り、壁６３４上に掛けられるよう設計される。これによって、人は、放射に露出されている間、ベッド６３２上に横たわり得る。図１１中に示される実施例では、装置６００は、壁６３４又は天井に固定されるスイベル支持体を有する。該支持体は、装置６００を使用に対して便利である位置へと動かすよう、スピンドル６３８の周囲にピボット可能である。
【００４２】
図１０及び１１中に示される実施例の装置６００は、単一又はデュアルモード装置であり、例えば、選択された動作モードに依存して、皺低減治療に対するのみ、あるいは皺低減治療及びにきび治療に対するのみの装置である。
【図面の簡単な説明】
【００４３】
【図１】本発明の装置の第１の実施例の概略的断面図である。
【図２】本発明の装置の第２の実施例の概略的断面図である。
【図３】ランプをピボットした後の図２中の実施例を図示する。
【図４】本発明の装置の第３の実施例の概略的断面図である。
【図５】石英高輝度放電ランプの断面図である。
【図６】ＰＣＡ高輝度放電ランプの断面図である。
【図７】ヨウ化リチウム（ＬｉＩ）塩充填剤を有する高輝度放電ランプのスペクトルを図示する。
【図８】ヨウ化ガリウム（ＧａＩ）塩充填剤を有する高輝度放電ランプのスペクトルを図示する。
【図９】ヨウ化リチウム（ＬｉＩ）及びヨウ化ガリウム（ＧａＩ３）塩充填剤をいずれも有する高輝度放電ランプのスペクトルを図示する。
【図１０】使用に対して適切な位置における本発明の装置の卓上用実施例を図示する。
【図１１】使用に対して適切な位置において壁に掛けられる本発明の装置の一実施例を図示する。
【図１】
2008546440.tif 000003
【図２】
2008546440.tif 000004
【図３】
2008546440.tif 000005
【図４】
2008546440.tif 000006
【図５】
2008546440.tif 000007
【図６】
2008546440.tif 000008
【図７】
2008546440.tif 000009
【図８】
2008546440.tif 000010
【図９】
2008546440.tif 000011
【図１０】
2008546440.tif 000012
【図１１】
2008546440.tif 000013
【国際調査報告】
2008546440.tif 000014
2008546440.tif 000015
2008546440.tif 000016
2008546440.tif 000017